(57)【要約】【課題】  誰でも簡単、且つ、安全に取り扱いが出来、且つ、身体の頬・首・肩・腕・手に至る露出部分全てを紫外線から守る日焼け防止用ストールを開発・提供する事にある。【解決手段】  主に車の運転中、或いはその他球技観戦や行楽等、陽射しの強い時に使用する日焼け防止用ストールにおいて、該ストールは、縦・横が所定の寸法を有する、ほぼ逆二等辺三角形状に形成した綿ローン製等の遮光性を有する黒色又は黒色を主体とし、好みに応じて色柄を鏤めた軽量細目布地を設け、且つ、該布地の左右両端角部を、それぞれ手甲大相当幅に面取り加工し、且つ、該布地の全周部に所定寸法幅の黒色幅広縁レースを縫着し、且つ、該布地の裏面左右両端角部には、左右両手甲部に巻回し固着可能な細長の補強当て布と、２ヶ所の面ファスナー等の係止部を重ね合わせて縫着し、且つ、裏面中央下端角部に補強当て布と、所定長さを有する綿製紐等の固着部を縫着して設けたものである。【選択図】  図１
0003105918.tif 000002
【実用新案登録請求の範囲】
【請求項１】
主として車の運転中、或いはその他球技観戦や行楽等、陽射しの強い時に使用する日焼け防止用ストールにおいて、該ストールは、縦寸法（Ｈ）・横寸法（Ｌ１）が所定の寸法を有する、ほぼ逆二等辺三角形状に形成した綿ローン製等の遮光性を有する黒色又は黒色を主体とし、好みに応じて色柄を鏤めた軽量細目布地（１）を設け、且つ、該布地の左右両端角部を、それぞれ手甲大相当幅（Ｂ）に面取り加工を施し、且つ、該布地（１）の全外周部に所定寸法幅（Ｗ）の黒色幅広縁レース（２）を縫着し、且つ、該布地（１）の裏面左右両端角部には、左右両手甲（Ａ）部に巻回し固着可能な細長の補強当て布（５）と、２ヶ所の面ファスナー等の係止部材（６）を重ね合わせて縫着し、且つ、裏面中央下端角部に所定長さ（Ｌ２）を有する綿製紐等の固着部（３）を縫着して設けた事を特徴とする日焼け防止用ストール。
【考案の詳細な説明】
【技術分野】
【０００１】
この考案は、直射日光を遮断し、人体の頬・首・肩・腕・手先等の全露出部分を日焼けから防止する日焼け防止用ストールに関するものである。
【背景技術】
【０００２】
従来、特に夏季において自動車等を運転する場合、車体の窓から頬・首・肩・腕・手が直射日光に曝されて、日焼けを起こし、特に女性にとっては肌のしみや老化の原因に成る事で忌み嫌われる為、種々の対策がとられている。
【０００３】
例えば、車の窓ガラスに吸盤付のサンバイザーを取り付けて、直射日光を遮る方法が提案され、実際に使用されているが、窓ガラスの開閉時毎に、サンバイザーを取り外す必要が有り、取り扱いが非常に煩雑である。又、サンバイザーの取り付け範囲が、窓ガラス全体を被覆されていない為、隙間から直射日光を受けて効果が半減しているというのが実態である。
【０００４】
又、日焼け防止用に使用されている物として、手袋や帽子があるが、手袋は、着用する衣類の長袖・半袖に依って使い分ける必要が有り煩わしく、又、帽子は運転中に左右を確認する度に、首を左右に振る為、帽子の鍔部が邪魔をして危険である等の問題がある。又、更に帽子は、被る事で、頭部に汗を掻いたり、又、髪のセットが崩れてしまう為、特に女性にとっては敬遠されがちである。
【０００５】
又、この他、日焼け防止用に限らず、多用途に使用する多用途ストールの出願がされているので参考の為に紹介する。（例えば、特許文献１を参照。）
【特許文献１】特開平１１−１０７０２０
【０００６】
上記提案（０００５）は多用途ストールといっても、身体の頬・首・肩部の日焼け防止は不可能であり、又、材質がポリエステルを使用しており、長時間頭部に被せて使用すると、布地の重さで髪のセットが乱れる。又、素材的にも視界性が悪く、更に、取り扱う上でも操作性等の問題がある。
【考案の開示】
【考案が解決しようとする課題】
【０００７】
そこで、上記問題を解決する為に、この考案は誰でも簡単、且つ、安全に取り扱いが出来、且つ、身体の頬・首・肩・腕・手に至る露出部分全てを紫外線から守る日焼け防止用ストールを開発・提供する事にある。
【課題を解決するための手段】
【０００８】
この課題を解決する為の手段として、この考案は主として、車の運転中、或いは、その他球技観戦や行楽等、陽射しの強い時に使用する日焼け防止用ストールにおいて、該ストールは、縦寸法・横寸法が所定の寸法を有する、ほぼ逆二等辺三角形状に形成した綿ローン製等の遮光性を有する黒色又は黒色を主体とし、好みに応じて色柄を鏤めた軽量細目布地を設け、且つ、該布地の左右両端角部を、それぞれ手甲大相当幅に面取り加工し、且つ、該布地の全外周部に所定寸法幅の黒色幅広縁レースを縫着し、且つ、該布地の裏面左右両端角部には、左右両手甲部に巻回し固着可能な細長の補強当て布と、２ヶ所の面ファスナー等の係止部を重ね合わせて縫着し、且つ、裏面中央下端角部に所定長さを有する綿製紐等の固着部を縫着して設けたものである。
【考案の効果】
【０００９】
この考案の効果として、縦寸法・横寸法が所定の寸法を有する、ほぼ逆二等辺三角形状に形成した綿ローン製等の遮光性を有する黒色又は黒色を主体とし、好みに応じて色柄を鏤めた軽量細目布地を設け、且つ、該布地の左右両端角部を、それぞれ手甲大相当幅に面取り加工し、且つ、該布地の全外周部に所定寸法幅の黒色幅広縁レースを縫着し、且つ、該布地の裏面左右両端角部には、左右両手甲部に巻回し固着可能な細長の補強当て布と、２ヶ所の面ファスナー等の係止部を重ね合わせて縫着し、且つ、裏面中央下端角部に所定長さを有する綿製紐等の固着部を縫着して設ける事で、頭髪のセットを乱す事無く身体の頬・首・肩・腕・手に至る露出部分全てを覆い隠し、紫外線を防止する事が出来る。
【００１０】
又、遮光性を有する黒色又は黒色を主体とし、好みに応じて色柄を鏤めた軽量の綿ローンと縁レースを縫合する事で、デザイン的にも豪華でお洒落な感覚を持たせる事が出来、一枚のストールを頭から両手先にかけて覆い隠す事で、身体の露出部全体が包囲可能と成り、更に顔の皺やシミが隠れて年齢も不明瞭に成り、美的感覚を向上する。更に、日傘等に比較し、日焼け防止用ストールは着用していても両手が使用出来て身軽である為、非常に安全である等、極めて有益なる効果を奏するものである。
【考案を実施するための最良の形態】
【００１１】
この考案の最良の形態としては、主として女性の使用頻度が高い事から、ストールの長さ寸法基準は、女性の平均身長に車の座席シートの厚さ分を考慮した寸法に設定することが望ましく、身長の高低差や車以外に使用する場合でも、多少の寸法差分はバイヤス生地を使用している為、伸縮性を有する為問題はない。
【実施例１】
【００１２】
そこで、この考案の一実施例を図１〜図２に基づいて詳述すると、主として車の運転中、或いは、その他球技観戦や行楽等、陽射しの強い時に使用する日焼け防止用ストールにおいて、該ストールは、縦寸法（Ｈ）・横寸法（Ｌ１）が所定の寸法を有する、ほぼ逆二等辺三角形状に形成した綿ローン製等の遮光性を有する黒色又は黒色を主体とし、好みに応じて色柄を鏤めた軽量細目布地（１）を設け、且つ、該布地の左右両端角部を、それぞれ手甲大相当幅（Ｂ）に面取り加工を施し、且つ、該布地（１）の全外周部に所定寸法幅（Ｗ）の黒色幅広縁レース（２）を縫着し、且つ、該布地（１）の裏面左右両端角部には、左右両手甲（Ａ）部に巻回し固着可能な細長の補強当て布（４）と、２ヶ所の面ファスナー等の係止部材（５）を重ね合わせて縫着し、且つ、裏面中央下端角部に所定長さ（Ｌ２）を有する綿製紐等の固着部（３）を縫着して設けた事を特徴とする日焼け防止用ストールから構成される。
【００１３】
次に、この考案の部品構成及び詳細寸法について説明すると、図１・図２に示す様に縦寸法（Ｈ）が約１０１６ｍｍで、横寸法が約１８９０ｍｍの綿ローン製の黒色又は黒色を主体とし、好みに応じて色柄を鏤めた軽量細目布地（１）を形成し、且つ、該布地（１）の左右両端角部をそれぞれ幅約１００ｍｍになる様面取り加工を施し、且つ、該布地（１）の全外周部に幅約８０ｍｍの遮光性を有する黒色幅広縁レース（２）を縫着し、且つ、該布地（１）の裏面左右両端角部には、左右両手甲（Ａ）部に巻回し固着可能な幅約２５ｍｍの細長の黒色補強当て布（４）と、２ヶ所の黒色面ファスナー等の係止部材（５）を重ね合わせて縫着し、且つ、裏面中央下端角部に幅約２５ｍｍ・所定長さ（Ｌ２）約１０００ｍｍの黒色綿製固着用紐を縫着して設けたものである。
【００１４】
次に、この考案の取り付け方法、及び使用方法について説明すると、図３に示す様に、まず、取り付け方法は、車（Ｃ）の座席シート（Ｓ）のヘッドレスト（Ｓ’）部にストールの表面が上向きに成る様に包囲し、二等辺三角形の頂点部が座席シート（Ｓ）の背面側に位置する様に取り付けた後、綿製紐等の固着部（３）を強固に締結させ、次にストール左右両端部に設けたそれぞれの面ファスナーを腕が通る大きさに調整して固着する。そして、使用時は、例えば、車の座席シートに着座した後、ストールの中心部を持ち上げ頭部にゆっくり載せる。そして、次に右、又は左の何れかの順番で両腕の手甲部が隠れる様にストールの左右に面ファスナーを固着して設けた輪の部分に手首を通し、再度、身体のはみ出し部分が無いかを確認し、陽射しの向きや強さに合わせて適度に調整する。
【００１５】
又、取り外す時は、両腕の左、又は右何れかの順番で、面ファスナーを固着して設けた輪の部分からゆっくりと両腕を抜き取り、最後に頭部に載せたストールをゆっくり取り除いて終了する。又、取り除いたストールは、そのままの状態にしておいても邪魔にはならないが、美観を良くする為にも、ストールの左右両腕固着部を軽く片結び程度に結んでおくと安全で見た目にも綺麗で、次に使用する時も簡単に取り外しが出来る。
【実施例２】
【００１６】
その他の実施例として、車（Ｃ）の場合と違って座席シート（Ｓ）の無い場所、例えば日中陽射しの強い場所で野球やサッカー等の球技観戦をする場合や、又、海水欲・海や山の行楽等に使用する。この場合の取り付け方法は、固着部（３）の紐は座席シートの代わりに、日焼け防止用ストールを使用する人の身体の胴体部分に締結し、そしてストールを頭上にゆっくり被せて、左右両腕を、綿ファスナーを固着して形成した輪の部分に通して使用する。
【産業上の利用可能性】
【００１７】
この考案の日焼け防止用ストールは、誰でも簡単、且つ、安全に取り扱いが出来、且つ、身体の頬・首・肩・腕・手に至る露出部分全てを紫外線から守る事が出来、且つ、コスト的にも誰もが入手可能な範囲で製作可能で広範囲（主に子供を除く女性全般）の市場に寄与する点で産業上の利用可能性を有する。
【図面の簡単な説明】
【００１８】
【図１】この考案の一実施例を示し、裏面図である。
【図２】この考案の一実施例を示し、正面図である。
【図３】この考案の使用例を示し、右前方斜視図である。
【図４】この考案の使用例を示し、右後方斜視図である。
【符号の説明】
【００１９】
１  布地
２  縁レース
３  固着部
４  補強当て布
５  係止部材
Ａ  手甲
Ｂ  手甲大相当幅
Ｃ  車
Ｈ  布地の縦寸法
Ｌ１  布地の横寸法
Ｌ２  固定用紐の長さ寸法
Ｓ  座席シート
Ｓ’  ヘッドレスト
Ｗ  縁レースの幅寸法
【図１】
0003105918.tif 000003
【図２】
0003105918.tif 000004
【図３】
0003105918.tif 000005
【図４】
0003105918.tif 000006